(57)【要約】【課題】    管理サーバーが保有するデーターベースに登録された美容技術者と紹介を希望する一般利用客とのデーターマッチングを行い、内外的適合性について納得のいく相手を安全かつ速やかに紹介する。【解決手段】    通信ネットワーク2に端末1、管理サーバー3、紹介所5が接続されており、端末1及び紹介所5を通じて一般利用客から紹介の希望が会った時、管理サーバーが美容技術者の個人データーを記録したデーターベース4を参照してデーターマッチングを行い、また一般利用客の希望があれば、予め用意された相性診断プログラムによってのマッチングも行い、この結果選ばれた美容技術者を電子メール、電話、ファックスにより紹介を行う。【選択図】  図1
2006235803.tif 000002
【特許請求の範囲】
【請求項１】
通信ネットワークに端末及び管理サーバーが接続され、前記端末を通じて一般利用客からの紹介の希望があった時、端末上から管理サーバーへ一般利用客の希望内容と簡単な個人プロフィールを入力してもらい、自身が保有する美容技術者の登録会員の個人データーを記録したデーターベースを参照し、登録会員である美容技術者と一般利用客のデーターマッチングを行うステップと、一般利用客の希望が有れば、予め用意された相性診断プログラムによってのデーターマッチングを行うステップと、この結果の中から希望条件に合った登録会員の美容技術者を匿名プロフィールで一般利用客に電子メール、ファックス、又は郵送などの通信手段によって紹介するステップと、一般利用客がこの中から気に入った美容技術者がいて、美容を行う意思があれば、再び予約の日時を端末上から入力し、これを管理サーバーが登録会員のいる店舗へ電子メール、電話、ファックス等で連絡して、日時が決まれば、双方の同時紹介を行う美容技術者紹介予約代行システム。
【請求項２】
通信ネットワークに端末及び管理サーバーが接続され、前記端末を通じて一般利用客からの紹介の希望があった時、端末上から管理サーバーへ一般利用客の希望内容と簡単な個人プロフィールを入力してもらい、自身が保有する美容技術者の登録会員の個人データーを記録したデーターベースを参照し、登録会員である美容技術者と一般利用客のデーターマッチングを行うステップと、一般利用客の希望が有れば、予め用意された相性診断プログラムによってのデーターマッチングを行うステップと、この結果の中から条件にあった美容技術者がいた場合に、前記端末を通じて、紹介を行うことを特徴とする美容技術者紹介システム。
【請求項３】
通信ネットワークに接続された端末機器を保有する紹介所を設け、端末を持たない美容技術者や一般利用客に場所と手続きのサービスを行う、請求項１と請求項２に記載の美容技術者紹介システム。
【発明の詳細な説明】
【技術分野】
【０００１】
本発明は通信ネットワーク上にある管理サーバーの管理下で端末を通じて、一般利用客の希望条件に合った登録会員の美容技術者を紹介する美容技術者紹介システムに関する。
【０００２】
本発明は通信ネットワーク上にある管理サーバーの管理下で端末を通じて、一般利用客の希望条件に合った登録会員の美容技術者を紹介し、尚且つ、管理サーバーが両者の希望に合った美容を行う日時を取り決める美容技術者紹介予約代行システムに関する。
【背景技術】
【０００３】
整髪、散髪、ネイル、エステ等、美容を行う際、一般利用客は、知人からの紹介や、雑誌、  新聞、  テレビ、  ラジオ、  インターネット、  チラシ等の広告から知りえた店舗を訪れるのが一般的である。しかし、店舗の見た目の良さ、評判と、実際に自分を美容する技術者が、自分のニーズを満たしているのか、技術者との相性が良いかは、美容を行った後でしか分からないので、なかなか自分が満足できる美容が行えないのが現状である。
【発明の開示】
【発明が解決しようとする課題】
【０００４】
従来は美容を行う際、「料金、店舗の見た目、評判、知人の紹介」などからしか決める要素がなく、実際に美容を行う技術者の内的条件「価値観、性格、趣味」や外的条件「出身地、性別、年齢、婚歴、経験年数、実績、血液型、生年月日」などの情報が得られないといった課題があった。
【０００５】
本発明は、前記のような課題を解決するためのものであり、登録された美容技術者と、一般利用者との内的条件及び外的条件を管理しつつも、内外的適合性について、希望と相性診断プログラムにより、納得のいく技術者との紹介を安全かつ速やかに行う、美容技術者紹介システムを提供することを目的とする。
【課題を解決するための手段】
【０００６】
本発明は前記目的に鑑みてなされたものであり、その要旨とするところは登録会員の入会手続きをした美容技術者の個人データーを管理サーバーが保有するデーターベースに登録しておくステップ。一般利用客が紹介を希望するときはインターネット等の端末、もしくは紹介所より管理サーバーにアクセスして簡単な自己プロフィールと希望する美容技術者の条件を入力し入会手続きを済ませるステップ。管理サーバーが保有する登録会員である、美容技術者の個人データーを記録したデーターベースを参照にデーターマッチングを行うステップ。また一般利用客の希望があれば、予め用意された相性診断プログラムによってデーターマッチングを行うステップ。この結果選ばれた登録会員を匿名プロフィールで一般利用客に紹介するステップ。一般利用客は匿名プロフィールで紹介された登録会員のなかから実際、美容を行いたい美容技術者がいた場合、再び管理サーバーにアクセスして美容を行いたい日時を入力し、これを管理サーバー及び紹介所が一般利用客の選んだ登録会員のいる店舗へ電子メール、電話、ファックス等で連絡して予約を取り決め、双方の希望に合った日時が決まった時点で、双方の同時紹介を行うことを特徴とする美容技術者紹介予約代行システムにある。
【０００７】
この様態によれば、コンピューターによる自動的なデーターマッチング処理によって登録会員である美容技術者と一般利用客の双方が多数の紹介者との出会いの機会を高い信頼性と安全性で得ることが出来る。
【０００８】
又、この様態によれば、予約の日時を管理サーバーが両者の間に入って、両者の希望が合うように取り決めるため、直接両者が連絡を取り合う手間、暇、など煩う事がないように紹介ができる。
【０００９】
また、本発明の他の要旨は、一般利用客の希望があれば、予め用意された相性診断プログラムによってのマッチングも行える点にある。
【００１０】
前記、相性診断プログラムは管理サーバーが作る、星座、干支、血液型、生年月日、などの占い要素からなる、独自のプログラムである。
【００１１】
また、本発明の他の要旨は、登録会員の入会手続きをした美容技術者の個人データーをデーターベースに登録しておくステップ。一般利用客が紹介を希望するときはインターネット等の端末、もしくは紹介所より管理サーバーにアクセスして簡単な自己プロフィールと希望する美容技術者の条件を入力し入会手続きを済ませるステップ。管理サーバーは一般利用客と登録会員である美容技術者のデーターマッチングを行うステップ。また、一般利用客の希望が有れば、予め用意された相性診断プログラムによってのデーターマッチングを行うステップ。この結果選ばれた登録会員の美容技術者を紹介する、美容技術者紹介システムにある。
【００１２】
この様態によれば、一般利用客が予約の日時を決める事無く、自身の都合がいい日時に直接、店舗に行く事が出来る。
【００１３】
また、本発明の他の要旨は通信ネットワークに接続された端末を保有する紹介所を設けることによって、端末を持たない一般利用客の管理サーバーへの接続を可能にする点である。
【００１４】
また、本発明の他の要旨は、登録を希望する美容技術者の入会手続きを通信ネットワークに接続された端末上、もしくは紹介所を通じて行う点である。
【００１５】
登録を希望する美容技術者は入会手続きを行う際、「氏名、年齢、生年月日、血液型、干支、星座、出身地、働いている店舗、店舗の連絡先、職務経歴、性格、趣味、婚暦、実績」などを端末上から、管理サーバーに入力し、管理サーバーはこれを認証し、登録会員に対してＩＤ番号及びパスワードを発行する。
【００１６】
上記、登録会員のデーターを管理サーバーは自身の保有するデーターベースに保存する。
【００１７】
また、本発明の他の要旨は紹介を希望する一般利用客の入会手続きを通信ネットワークに接続された端末上、もしくは紹介所を通じて行う点である。
【００１８】
入会を希望する一般利用客は入会手続きを行う際、氏名、連絡先(携帯電話番号、メールアドレス、住所等)、希望条件、自己プロフィール(趣味、出身地、血液型、星座、干支、職歴等)を端末上から、管理サーバーに入力し、管理サーバーはこれを認証し、一般利用客に対してＩＤ番号及びパスワードを発行する。
【００１９】
上記、入会手続きの終えた一般利用客のデーターを管理サーバーは自身の保有するデーターベースに保存する。
【００２０】
また、本発明の他の要旨はまた、登録会員、一般利用客の双方に評価システムをつけることにより、実際美容が行われた際に一般利用客が無断でのキャンセルや遅刻が無かったか、又、美容技術者が約束の日時にきちんと美容を行ったか、誠実な対応をしてくれたか、実際の美容は納得のいくものであったか、などの評価が付けられ、紹介の際の判断の基準となる。
【発明の効果】
【００２１】
以上のように本発明によれば、インターネットなどの端末、もしくは紹介所を通じて、一般利用客が簡単な自己プロフィールと希望技術者の内容を管理サーバーへ入力して、管理サーバーが保有する登録会員である、美容技術者の個人データーを記録したデーターベースを参照にデーターマッチングを行い、また一般利用客の希望があれば、予め用意された相性診断プログラムによってデーターマッチングを行い、その結果選ばれた美容技術者を匿名プロフィールで、電話、電子メール、ファックス等の通信手段によって双方に連絡を取って美容を行う日時の予約を取り決め双方の同時紹介を行う様にしたので、一般利用客は自分の希望に合った美容技術者を高い安全性と信頼性を得ながら選び、美容を行う事が出来る。
【００２２】
また、管理サーバーを運営する紹介所が作る独自の相性診断プログラムのデーターマッチングにより生年月日、血液型、干支などの占い的な要素から選ぶ事も出来るので、意外性のある運命的な出会いを提供できる効果がある。
【００２３】
また、本発明によれば、初対面でありながら、互いの自己プロフィールを知ることが出来るので、美容を行う際のコミュニケーションが図り易い効果がある。
【００２４】
また、本発明によれば、登録会員に評価を付けるシステムを付随したため、過去における紹介を受けた一般利用客からの評価を元に、匿名プロフィールで送られてきた美容技術者の評価値を判断できる効果がある。
【００２５】
また、本発明によれば、上記に挙げた評価システムによって、美容技術者からのより一層、誠実な美容が提供される効果がある。
【発明を実施するための最良の形態】
【００２６】
以下、本発明の実施の一形態を図によって説明する。図１は本発明の美容技術者紹介システムを概念的に示すブロック図であり、同図において１はデーター入力手段としてのパーソナルコンピューター、携帯電話等の端末で、一般利用客の入会手続きやマッチング希望の手続きが行われる。また２は通信ネットワークで３は２に接続されている美等技術者紹介の各種サービスを提供する管理サーバーである。この管理サーバー３は登録会員である美容技術者の個人データー及び、入会手続きを終えた一般利用客のデーターを記録したデーターベース４を保有する。５は端末を持たない登録を希望する美容技術者や、入会を希望する一般利用客の為に通信ネットワークに接続された端末を提供する紹介所でこの紹介所５は管理サーバーの運営も行う。また前記管理サーバー３は一般利用客から紹介の希望があった時、端末上から入会手続きを終えた一般利用客のデーターと管理サーバーが保有する登録会員である、美容技術者の個人データーを記録したデーターベースを参照にデーターマッチングを行い、また一般利用客の希望があれば、予め用意された相性診断プログラムによってデーターマッチングを行い、その結果選ばれた登録会員を匿名プロフィールで一般利用客に紹介する。一般利用客はこの中から条件に合う気入った美容技術者がいた場合、美容を行う日時を端末１、もしくは紹介所５に伝え、これを管理サーバー３、もしくは紹介所５は選ばれた登録会員のいる店舗に電話、電子メール、ファックス等で連絡して双方の美容を行う日時を双方の希望に合わせ取り決める。双方の希望に合った日時が決まれば、双方に互いのプロフィールと予約の日時を電話、電子メール、ファックス、書面、口頭等で連絡する予約代行機能を合わせ持つ。また、予約の日時を決めず、自身の都合がいい時に美容を行いたい一般利用客はその旨を管理サーバーに伝え、直接の紹介を受けることが出来る。
また、紹介によって美容を行った一般利用客、登録会員は予め用意された評価システムに従って、双方の評価を管理サーバー、もしくは紹介所に電話、電子メール、ファックス等で伝える。この評価はデーターベース４に保存される。
【００２７】
次に本発明の美容技術者紹介システムによるマッチング手順を図２のフローチャートを参照しながら説明する。先ず、登録を希望する美容技術者の個人データーをデーターベースに保管する。個人データーに氏名、年齢、生年月日、血液型、干支、星座、出身地、働いている店舗、店舗の連絡先、職務経歴、性格、趣味、婚暦、実績、などがある(step 1) 。
【００２８】
管理サーバーは登録会員に対して、ID番号及びパスワードを発行する(step2) 。
【００２９】
登録会員のデーターは管理サーバーが保有するデーターベースに保存される（step3）。
【００３０】
紹介を希望する一般利用客はインターネット、携帯電話等の端末、もしくは紹介所を通じて管理サーバー３に接続して入会手続きを行う(step 4)。
【００３１】
入会手続きには書面、電子メールで氏名、連絡先(携帯電話番号、メールアドレス、住所等)、希望条件、自己プロフィール(趣味、出身地、血液型、星座、干支、職歴)等を管理サーバーに登録する。管理サーバーは入会の登録を済ませた一般会員に対して、ID番号及びパスワードを発行する。(step 5)。
【００３２】
承認が済むと、一般利用客の登録会員の個人データーはデーターベース４に保存される（step6）。
【００３３】
一般利用客から紹介の申し込みがあると、管理サーバー３、もしくは紹介所５はデーターベース４から希望条件に合う登録会員（美容技術者）とのデーターマッチングを行う。又一般利用客の希望があれば、予め用意された相性診断プログラムによってのマッチングを行う(step 7)。
【００３４】
前記(step 7)の結果選ばれた登録会員(美容技術者)を、紹介を希望する一般利用客に電子メール、電話、書面等で匿名プロフィールによって紹介する(step 8)。
【００３５】
一般利用客はこの匿名プロフィールの中から気に入った美容技術者がいれば、美容を行いたい希望の日時を管理サーバー、もしくは紹介所に電子メール、電話、書面等で伝える(step 9)。
【００３６】
管理サーバー、もしくは紹介は(step 9)にある一般利用客の美容を行いたい日時を選ばれた登録会員(美容技術者)の勤める店舗へ電子メール、電話、ファックス等で連絡して、双方の希望に合った日時を取り決める。(step 10)。
【００３７】
前記(step 10)により双方の希望に合った美容を行う日時が決まれば、双方に電子メール、ファックス、電話等で互いのプロフィールを正式に紹介する(step 11)。この時点で一般利用客は匿名プロフィールで紹介された美容技術者の氏名、所在店等を知ることが出来る。
【００３８】
また、（step7）より、予約の日時を取り決めず、一般利用客自身が都合のいい日に美容を行いたければ、その旨を管理サーバーへ伝え、この時点での直接の紹介を受けることが出来る（step12）。
【００３９】
実際に美容を行う(step 13)。
【００４０】
美容が行われた後、双方は問題無く美容が行われたかを評価システムに従って、管理サーバー、もしくは紹介所に電子メール、電話、ファックス等で報告する( step 14)。
【図面の簡単な説明】
【００４１】
【図１】本発明を概念的に示すブロック図である。
【図２】本発明を実施するためのフローチャートである。
【符号の説明】
【００４２】
１      端末
２      通信ネットワーク
３      管理サーバー
４      データーベース
５      紹介所
【図１】
2006235803.tif 000003
【図２】
2006235803.tif 000004